(57)【特許請求の範囲】
【請求項１】
１枚の板材全体を，左右対称に直角形状に弯曲折してそれぞれ半羽根部及び半把持部を形成し、両半把持部間を接合し得るようにするとともに両半羽根部を前面左右両側方に展開して成ることを特徴とする屋根用雪止め具。
【請求項２】
半羽根部の横中央部に半把持部に及んで凸凹面部を形成し、両半羽根部の左右端部に抑止部を形成して成る請求項１に記載する屋根用雪止め具。
【請求項３】
両半把持部の後側両部の凸凹面部から底辺部にかけて締付け部を形成するとともにその底辺部に内側方向に波形部を形成して成る請求項１に記載する屋根用雪止め具。
【発明の詳細な説明】
【技術分野】
【０００１】
本発明は、屋根用雪止め具に関するものである。
【背景技術】
【０００２】
竪平葺屋根の勾配面に取付けられる雪止め具は、次に挙げる特許情報文献に見られるように、一定形状の羽根板材及びこの羽根板材の後背面部中央に一端を固着して後側方に延設される左右の取付け板材の３部品から構成されているものであるため、その分の部品製造のコストがかかり、また組立て工場における組立て工程と時間がかかり、全体として製造コストの節減ができなかったのである。
【０００３】
【特許文献１】特開２０００−１９９３１１号公報
【特許文献２】特許第３３４５２７８号公報
【発明の開示】
【発明が解決しようとする課題】
【０００４】
そこで、本発明は、このような従来の雪止め具の構造及び製法を抜本的に改良した画期的な雪止め具を提供することを目的とするものである。
【課題を解決するための手段】
【０００５】
本発明は、１枚の板材全体を，左右対称に直角形状に弯曲折してそれぞれ半羽根部及び半把持部を形成し、両半把持部間を接合し得るようにするとともに両半羽根部を前面左右両側方に展開し、半羽根部の横中央部に半把持部に及んで凸凹面部を形成し、両半把持部の底辺部に内側方向にそれぞれ波形部を形成して成るものである。
【発明の効果】
【０００６】
第１に、全体が羽根部と把持部とから成る屋根用雪止め具の構造を組立てる際に使用する部品としては、左右対称の半羽根部と半把持部とを一体に形成した形状から成る２種の部材を用意すればよいから、部品数が少なくかつ製造コストが安価となり、これによる組立て工程も簡易になりかつ組立てコストも大巾に軽減することができる。
【０００７】
第２に、金具全体は両半羽根部及び両半把持部にわたる弯曲形状と凸凹面部によって全体の強度が強化されているとともに、両半把持部の各底辺部がその中間に挟む屋根材を左右両側方からくわえ込むようにするから、屋根の勾配面における積雪により水平及び垂直の方向に作用する持ち上げ力に対抗して、十分強力な抵抗力を発揮することができるようになり、設置された金具が変形するような現象を完全に防止することができる。
【０００８】
第３に、半羽根部と半把持部とが一体に連続形成するとともに弯曲形部が大巾な面構成に成るものであるから、この上面部に長尺のＬ形材を載置架設しても安定性がきわめてよい。
【０００９】
第４に、両半羽根板が弯曲して前面に開いた形状はあたかも蝶が舞っているような優雅で美しいかたちを呈しているから、地味な屋根面におけるデザイン効果はきわめて大きい。
【発明を実施するための最良の形態】
【００１０】
左右対称に成る両半羽根部と一体の両半把持部の底辺部をそれぞれ竪平葺屋根板の左右両側部を挟合して相対した後、この両半把持部間に螺子を通して金具を取付け固定する。しかる後に、両半把持部の凹孔部に雪止め用の長尺Ｌ形材を掛け止める。
【００１１】
両半羽根部から両半把持部にかけては大きな面状の弯曲形面が形成されていることにより、積雪力に対する抵抗力を十分に発揮する強化形態となっている。
【実施例】
【００１２】
本発明に係る雪止め具を構成する部材は、全体が左右対称となる２種の部品から成るものである。
【００１３】
この左右対称となる部品は、１枚の板材全体をそれぞれ直角形状に弯曲折して、半羽根部１，１と半把持部２，２とを構成するものである。
【００１４】
３，３は前記両半羽根部１，１の横中央部から両半把持部２，２の前側部にかけて一体に形成した補強用の凸凹面部で、この凸凹面部は半羽根部及び半把持部の全体に強度を発揮するようになる。
【００１５】
４，４は半羽根部１，１の左右両側端部において前方に水平に曲折した抑止部で、この部分は屋根勾配面に接地して積雪による持ち上げ力に対抗し得る力を発揮するようになる。
【００１６】
５，５は両半把持部２，２の中間部に設けた凹孔部で、この凹孔部には取付け施工後に長尺の倒Ｌ形材が掛止まるようになる。
【００１７】
６，６，６，６は前記両半把持部２，２の前後側面部に形成している凸凹面部で、この凸凹面部は前記両半羽根部１，１から両半把持部２，２に及ぶ凸凹面部３，３に連継している。
【００１８】
７，７は前記両半把持部２，２の後側面部の凸凹面部６，６，６，６から底辺部にかけて形成された締付け部で、この締付け部の底辺部には、互いに内側方に対向した波形部８，８を設け、この締付け部の中間に竪平葺屋根材ａを挾持したときに左右両側方から波形部分が相対し合う関係になる。
【００１９】
９，９は両半羽根部１，１及び両半把持部２，２の上端部にわたり一体に直角に曲折した上補強部である。
【００２０】
１０，１０は一方の半把持部２の上側部前後において内方に突設した突片で、この突片が挿入する通口１１，１１を他方の半把持部２の上側部前後に設け、取付け施工時には一方の半把持部側の突片１０，１０が他方の半把持部側の通口１１,１１に挿入するようになる。
【００２１】
１２，１２，１２'，１２'は前記両半把持部２，２の前後側面部に形成する凸凹面部６，６に設けた通孔１３，１３に挿通して螺合する螺子で、竪平屋根材部分を挾合把持した後に螺締することになる。
【図面の簡単な説明】
【００２２】
【図１】組立て前の各部材の正斜視図
【図２】組立て後の全体の正斜視図
【図３】組立て後の全体の背斜視図
【図４】組立て後の全体の正面図
【図５】図４Ａ−Ａ線断面図
【図６】組立て後の全体の背面図
【図７】組立て後の全体の底面図
【図８】組立て後の全体の右側面図
【図９】図８Ｂ−Ｂ線の断面図
【図１０】組立て後の全体の左側面図
【図１１】屋根に取り付けた状態の斜視図
【符号の説明】
【００２３】
１，１                半羽根部
２，２                半把持部
３，３                凸凹面部
４，４                抑止部
５，５                凹孔部
６，６，６，６        凸凹面部
７，７                締付け部
８，８                波形部
９，９                上補強部
１０，１０            突片
１１，１１            通口
１２，１２，１２'，１２'    螺子
１３，１３            通孔
【図１】
0004838632.tif 000002
【図２】
0004838632.tif 000003
【図３】
0004838632.tif 000004
【図４】
0004838632.tif 000005
【図５】
0004838632.tif 000006
【図６】
0004838632.tif 000007
【図７】
0004838632.tif 000008
【図８】
0004838632.tif 000009
【図９】
0004838632.tif 000010
【図１０】
0004838632.tif 000011
【図１１】
0004838632.tif 000012